(57)【要約】【課題】  コンピュータ等の電子機器が設置される計算機室用の床パネルであって、対向する光透過部材と、この光透過部材の間に挟持された液晶、及び電極を有する透過可能な構成である。床全体が導体となり、アースを行なうことによって床付近の静電気を防ぐ。計算機室の床下に敷設されているケーブル類の状態を床パネルの開閉を行なうことなく確認できる。しかし、用途が限定される。また人の除電と塵埃の除去には不向きである。【構成】  本発明は、導電性の壁面に出入り口を、室内にエアーシャワー及び駆動式のコンベアを配したアース機能を備えた除電室で、コンベア上に人の衣服に付着する帯電した塵埃を除去し、コンベアで室外に搬送し、人及び/又は衣服の静電気を壁面に放電し、壁面に帯電した静電気を導電性の柱を介して地中及び/又は空中にアースする除電室である。よって、確実な除電と塵埃の除去ができる。【選択図】          図2
2005199152.tif 000002
【特許請求の範囲】
【請求項１】
少なくとも導電性を備えた壁面に出入り口を、天井及び/又は壁面等で構成した室内にエアーシャワー及びその床面に駆動式のコンベアを配したアース機能を備えた除電室であって、
前記コンベア上に前記エアーシャワーを介して人の衣服に付着する帯電した塵埃を除去し、この除去した塵埃を、このコンベアを利用して前記除電室外に搬送可能とするとともに、このコンベアは当該除電室より人が退室した後に作動可能とする構成とし、また前記人及び/又は衣服に帯電した静電気を前記壁面に放電し、この壁面に帯電した静電気を導電性の柱を介して地中及び/又は空中にアースすることを特徴とした電子部品室前のクリーンルーム、病院のオペ室前のクリーンルーム、その他のクリーンルーム前に設置された除電室。
【請求項２】
請求項1に記載した壁面は、アルミニューム製の柱体と、この柱体に設けたパルプ繊維とカーボン繊維及び熱可塑性重合繊維を混合したパルプ素材でなる導電性のシート製の壁体と、望ましくは導電性の天井で構成することを特徴とした電子部品室前のクリーンルーム、病院のオペ室前のクリーンルーム、その他のクリーンルーム前に設置された除電室。
【請求項３】
請求項2に記載したアルミニューム製の柱体を利用して、壁面に帯電した静電気を、常時地中及び/又は空中にアースすることを特徴とした電子部品室前のクリーンルーム、病院のオペ室前のクリーンルーム、その他のクリーンルーム前に設置された除電室。
【請求項４】
請求項1に記載した壁面に、集塵機を装備し、剥離された塵埃を捕捉することを特徴とした電子部品室前のクリーンルーム、病院のオペ室前のクリーンルーム、その他のクリーンルーム前に設置された除電室。
【請求項５】
請求項1に記載したコンベアを導電体とし、このコンベアに導電性ブラシを接触可能とすることを特徴とした電子部品室前のクリーンルーム、病院のオペ室前のクリーンルーム、その他のクリーンルーム前に設置された除電室。
【発明の詳細な説明】
【技術分野】
【０００１】
本発明は、電子部品室前のクリーンルーム、病院のオペ室前のクリーンルーム、その他のクリーンルーム前に設置された除電室に関する。
【背景技術】
【０００２】
周知の如く、電子部品室前のクリーンルーム、病院のオペ室前のクリーンルーム、その他のクリーンルームに入室する際には、ゴミ、ホコリ、その他の付着物(塵埃とする)を確実に剥離すること、及び/又は静電気を除去することが必須である。しかし、現実には、適確な手段がなく、一時的な方法に頼っており、例えば、エアーシャワー装置(特開平5-79671号)がある。また最も簡易な方法としては、例えば、静電気除去用敷物による除去(特開2001-178671、実開平6-50298号、特開平11-87087等)が挙げられる。
【０００３】
しかし、これらの方法は、極めて一時的な方法であり、十分な成果を期待することは無理と思われること、また少なくとも静電気除去に関する方法としては、納得いく方法とは云えなかった。
【０００４】
また前述の改良と、業務面で採用できる除電室としては、特開2003-213910の「透過可能な床パネル及びこれを用いた床」がある(文献(1)とする)。この発明は、コンピュータ等の電子機器が設置される計算機室用の床パネルであって、この床パネルは少なくとも対向する光透過部材と、この光透過部材の間に挟持された液晶、及び液晶を教示する位置にそれぞれ設けられた電極を有する透過可能な床パネルとした構成であり、この床全体が導体となり、アースを行なうことによって床付近の静電気を防ぐこと、また前記計算機室の床下に敷設されているケーブル類の状態を床パネルの開閉を行なうことなく確認できることを目的とする。
【０００５】
【特許文献１】特開2003-213910
【発明の開示】
【発明が解決しようとする課題】
【０００６】
前記文献(1)は、除電を意図する発明であるが、導電体(導体)は床面のみの構成であり、この発明が意図する電子機器等の静電気除去は可能である。しかし、人の衣服に付着する帯電した塵埃を除去し、この除去した塵埃を、このコンベアを利用して除電室外に搬送すること、又はこの人及び/又は衣服に帯電した静電気を壁面に放電(蓄電)し、この壁面に帯電した静電気を導電性の柱を介して地中及び/又は空中にアースすること等は期待できない。
【課題を解決するための手段】
【０００７】
請求項1の発明は、クリーンルームの前に設置された除電室で、人に付着した塵埃及び/又は静電気を速やかに除去(排除又は放電)すること、又はコンベアを確実に制御して(退室時に可動し、入室時に停止する制御を介して)安全を確保しつつ、かつこのコンベア上の塵埃を確実に排除すること等を意図する。また壁面(壁体)の廃棄処理を簡易にすること、焼却可能な壁面として環境に優しい部材の採用を心掛けること等を意図する。また簡易に組付け可能な構造として、汎用性の向上と、利用分野の拡充及び／又は専門家から素人まで、全ての人が使用可能で、かつ簡易な組付けが図れる除電室の提供等を意図する。
【０００８】
請求項1は、少なくとも導電性を備えた壁面に出入り口を、天井及び/又は壁面等で構成した室内にエアーシャワー及びその床面に駆動式のコンベアを配したアース機能を備えた除電室であって、
前記コンベア上に前記エアーシャワーを介して人の衣服に付着する帯電した塵埃を除去し、この除去した塵埃を、このコンベアを利用して前記除電室外に搬送可能とするとともに、このコンベアは当該除電室より人が退室した後に作動可能とする構成とし、また前記人及び/又は衣服に帯電した静電気を前記壁面に放電し、この壁面に帯電した静電気を導電性の柱を介して地中及び/又は空中にアースすることを特徴とした電子部品室前のクリーンルーム、病院のオペ室前のクリーンルーム、その他のクリーンルーム前に設置された除電室である。
【０００９】
請求項2の発明は、請求項1の目的を達成すること、また壁面の構成素材の中で、少なくともカーボン繊維を廃材の再利用で賄うことにより、コストの低廉化を図りつつ、資源の有効利用と、廃材処理の容易化等を図ること等を意図する。
【００１０】
請求項2は、請求項1に記載した壁面は、アルミニューム製の柱体と、この柱体に設けたパルプ繊維とカーボン繊維及び熱可塑性重合繊維を混合したパルプ素材でなる導電性のシート製の壁体と、望ましくは導電性の天井で構成することを特徴とした電子部品室前のクリーンルーム、病院のオペ室前のクリーンルーム、その他のクリーンルーム前に設置された除電室である。
【００１１】
請求項3の発明は、請求項1の目的達成と、また請求項1の目的を達成するに最適な除電室の全体構造を提供すること等を意図する。
【００１２】
請求項3は、請求項2に記載したアルミニューム製の柱体を利用して、壁面に帯電した静電気を、常時地中及び/又は空中にアースすることを特徴とした電子部品室前のクリーンルーム、病院のオペ室前のクリーンルーム、その他のクリーンルーム前に設置された除電室である。
【００１３】
請求項4の発明は、請求項1の目的達成と、また請求項1の目的を達成するに最適な集塵機付きの除電室の提供等を意図する。
【００１４】
請求項4は、請求項1に記載した壁面に、集塵機を装備し、剥離された塵埃を捕捉することを特徴とした電子部品室前のクリーンルーム、病院のオペ室前のクリーンルーム、その他のクリーンルーム前に設置された除電室である。
【００１５】
請求項5の発明は、請求項1の目的達成と、また請求項1の目的を達成するに最適な除電室のコンベアの提供等を意図する。
【００１６】
請求項5は、請求項1に記載したコンベアを導電体とし、このコンベアに導電性ブラシを接触可能とすることを特徴とした電子部品室前のクリーンルーム、病院のオペ室前のクリーンルーム、その他のクリーンルーム前に設置された除電室である。
【発明の効果】
【００１７】
請求項1の発明は、少なくとも導電性を備えた壁面に出入り口を、天井及び/又は壁面等で構成した室内にエアーシャワー及びその床面に駆動式のコンベアを配したアース機能を備えた除電室であって、
コンベア上にエアーシャワーを介して人の衣服に付着する帯電した塵埃を除去し、除去した塵埃を、コンベアを利用して除電室外に搬送可能とするとともに、コンベアは除電室より人が退室した後に作動可能とする構成とし、また人及び/又は衣服に帯電した静電気を壁面に放電し、この壁面に帯電した静電気を導電性の柱を介して地中及び/又は空中にアースする電子部品室前のクリーンルーム、病院のオペ室前のクリーンルーム、その他のクリーンルーム前に設置された除電室である。
【００１８】
従って、請求項1は、クリーンルームの前に設置された除電室で、人に付着した塵埃及び/又は静電気を速やかに除去できること、又はコンベアを確実に制御して安全を確保しつつ、かつこのコンベア上の塵埃を確実に排除できること等の特徴がある。また壁面(壁体)の廃棄処理が簡易にできること、焼却可能な壁面として環境に優しい部材の採用を心掛け得る等の利点がある。また簡易に組付け可能な構造として、汎用性の向上と、利用分野の拡充及び／又は専門家から素人まで、全ての人が使用可能で、かつ簡易な組付けができる除電室の提供等が図れる実益がある。
【００１９】
請求項2の発明は、請求項1に記載した壁面が、アルミニューム製の柱体と、この柱体に設けたパルプ繊維とカーボン繊維及び熱可塑性重合繊維を混合したパルプ素材でなる導電性のシート製の壁体と、望ましくは導電性の天井で構成する電子部品室前のクリーンルーム、病院のオペ室前のクリーンルーム、その他のクリーンルーム前に設置された除電室である。
【００２０】
従って、請求項2は、請求項1の目的を達成できること、また壁面の構成素材の中で、少なくともカーボン繊維を廃材の再利用で賄うことにより、コストの低廉化が図れること、また資源の有効利用と、廃材処理の容易化等が図れる特徴がある。
【００２１】
請求項3の発明は、請求項2に記載したアルミニューム製の柱体を利用して、壁面に帯電した静電気を、常時地中及び/又は空中にアースする電子部品室前のクリーンルーム、病院のオペ室前のクリーンルーム、その他のクリーンルーム前に設置された除電室である。
【００２２】
従って、請求項3は、請求項1の目的を達成できること、また請求項1の目的を達成するに最適な除電室の全体構造を提供できる等の特徴がある。
【００２３】
請求項4の発明は、請求項1に記載した壁面に、集塵機を装備し、剥離された塵埃を捕捉する電子部品室前のクリーンルーム、病院のオペ室前のクリーンルーム、その他のクリーンルーム前に設置された除電室である。
【００２４】
従って、請求項4は、請求項1の目的を達成できること、また請求項1の目的を達成するに最適な集塵機付きの除電室を提供できる等の特徴がある。
【００２５】
請求項5の発明は、請求項1に記載したコンベアを導電体とし、コンベアに導電性ブラシを接触可能とする電子部品室前のクリーンルーム、病院のオペ室前のクリーンルーム、その他のクリーンルーム前に設置された除電室である。
【００２６】
従って、請求項5は、請求項1の目的を達成できること、また請求項1の目的を達成するに最適な除電室のコンベアを提供できる等の特徴がある。
【発明を実施するための最良の形態】
【００２７】
以下、本発明の実施の態様（形態）を説明する。
【００２８】
除電室1は、アルミニューム、鋼材等でなる柱体100と、この柱体100に設けたパルプ繊維101aとカーボン繊維101b及び熱可塑性重合繊維101cを混合したパルプ素材をベースに構成した導電性のシート製(導電性シート101d)でなる壁体101と、望ましくは導電性の天井102とで構成される。そして、柱体100は引抜き成形で構成し、この柱体100に設けた枠板100a（必要により設ける。以下同じ）の差込み部100aaにパッキン等のシール材（図示せず）を介して壁体101を簡易に取付け又は取外し可能とする。また天井102は、この一例ではフラット構造であるが限定されず、各種の形態が可能である。尚、壁体101は柱体100の中間に設けた中間枠板100abを介在して設けられる場合もあり限定されない。また柱体100は地中及び/又は空中に放電可能な手段に連結されており、この柱体100を利用して、除電室1の壁体101に帯電(蓄電)した静電気をアースする。図中Rは除電室1の室内を示す。
【００２９】
この除電室1には、出入り口2、3を有しており、この例では観音開き構造を採用し、その開閉方向は、出入り口2、3とも同じ方向として、出入りの容易化、除電効果及び／又は塵埃の浸入防止、またスペースの有効利用等に役立つ実益がある。そして、この出入り口2、3には、出入り口用の扉20、30が設けられる。尚、除電室1は図1〜図4に示した小型の形態と、図8〜図11に示した大型の形態とが考えられるが、何れも一例であり、必要により変更される。図中21、31は出入り口用の扉20、30に設けた取手を示す。
【００３０】
また壁体101は図6、図7に示した前述のパルプ素材でなる導電性のシート製が理想であり、この壁体101の構成は、パルプ繊維101aとカーボン繊維101b及び熱可塑性重合繊維101cを混合し、泥状化したパルプ素材を製造し、このパルプ素材をシート状に延展し、パルプ繊維101a中にカーボン繊維101bを混在した導電性シート101dを製造し、この導電性シート101dを芯材101eの少なくとも一面に設けた例が望ましい。これによって、コストの低廉化が図れること、また資源の有効利用と、廃材処理の容易化等が図れること等の特徴がある。しかし、本発明は、必要により他の導電性部材を利用することも可能である。その他の一例として、導電膜を備えた板材・樹脂板等の導電性部材、導電材入り板材・樹脂板等の導電性部材が考えられるが、いずれにしても、当該壁体101の強度性、コスト面、静電気等の除去程度、目的等を考慮して適宜変更される。また壁体101は前記導電性シート101dをプレス成形で製造する場合もある。
【００３１】
4は除電室1の床面を構成するコンベアで、このコンベア4は、モータ(図示せず)駆動となっており、退室時にセンサー等の感知手段を利用して所定時間駆動する構成である。尚、除電室1に人が入室する際には、停止している。これらの動作はコンピュータ制御を介して確実かつスムーズに行われる。また入退室の際にはチャイム等の警報手段を利用して使用の状態を知らしめる。尚、前記除電室1の天井102及び/又は壁体101の適所(室内R)に、エアーシャワー5を設けて、人の衣服に付着する帯電した塵埃を除去し、除去した塵埃を、コンベア4に落して集塵する構成が理想である。この構成を採用することで、例えば、静電気により人及び/又は衣服に付着した塵埃を確実に除去できる。そして、このコンベア4は、導電性を基本とするが、清掃の容易化、コストの低廉化等を考慮して非導電性も可能である。そして、この非導電性の場合には、後述する導電性ブラシを利用して、除電及び/又は清掃を図ることが懸命である。また室内Rに電灯、警報機等の付帯設備を設ける。
【００３２】
図中6は集塵機を示す。
【００３３】
次に除電室1の利用の一例を説明すると、入り口用の扉20を開いて室内Rに入るとチャイムが鳴り、当該除電室1の内及び/又は外に使用中を知らしめるとともに、図示しないタイマーが作動してエアーシャワー5が作動する。このエアーシャワー5の気流と、壁体101の除電とを利用して、人の静電気を除去しつつ、人の衣服に付着する帯電した塵埃を除去し、除去した塵埃を、コンベア4に落とす。そして、所定時間が経過した段階で、必要により再度チャイムが鳴り、当該除電室1の内及び/又は外に使用済みを知らしめる。この入室を介して除電と清浄化された人は、出口用の扉30を開いて退室する。その後、コンベア4が駆動して、当該コンベア4上の塵埃を除電室1外に搬送する。この搬送後に当該コンベア4は停止する。尚、集塵機6は、入室時及び/又はコンベア4の作動中に作動し、塵埃及び/又は臭気を確実に排除する。尚、コンベア4の清掃は、何れの場合も図示しないブラシを利用することを原則とする。
【図面の簡単な説明】
【００３４】
【図１】第1の例の除電室を示す一部欠截平面図
【図２】図１の例の一部正面図
【図３】図１の例の一部欠截左側面図
【図４】図１の例の一部欠截右側面図
【図５】図1の例の要部を拡大した一部省略の俯瞰断面図
【図６】壁体を構成する導電性シートの一例を示す要部の斜視図
【図７】壁体の一例を示す要部の側面図
【図８】第2の例の除電室を示す一部欠截平面図
【図９】図8の例の一部正面図
【図１０】図8の例の一部欠截左側面図
【図１１】図8の例の一部欠截右側面図
【符号の説明】
【００３５】
１              除電室
１００          柱体
１００a         枠板
１００aa        差込み部
１００ab        中間枠板
１０１          壁体
１０１a         パルプ繊維
１０１b         カーボン繊維
１０１c         熱可塑性重合繊維
１０１d         導電性シート
１０１e         芯材
１０２          天井
２              入り口
２０            入り口用の扉
２１            取手
３              出口
３０            出口用の扉
３１            取手
４              コンベア
５              エアーシャワー
６              集塵機
Ｒ              室内
【図１】
2005199152.tif 000003
【図２】
2005199152.tif 000004
【図３】
2005199152.tif 000005
【図４】
2005199152.tif 000006
【図５】
2005199152.tif 000007
【図６】
2005199152.tif 000008
【図７】
2005199152.tif 000009
【図８】
2005199152.tif 000010
【図９】
2005199152.tif 000011
【図１０】
2005199152.tif 000012
【図１１】
2005199152.tif 000013